(57)【要約】【課題】収納スペースを十分確保しながら、照明ユニットが目立たない壁面収納装置を提供する。【解決手段】対向した２枚の側板と天板及び地板からなる枠体を壁面に配置し、枠体内を収納スペースとした壁面収納装置において、天板の収納スペース側に開口を設け、照明ユニットを収納スペース側から挿入することで、天板の開口内の上方に収めると共に、壁面に設けられた開口内に枠体を配置し、天板にその厚さ方向に貫通した貫通孔を形成することで収納スペース側に開口を設け、照明ユニットを壁裏側に納めることで、収納スペースを十分確保しながら、照明ユニットが目立たない壁面収納装置となる。【選択図】図２
2007100476.tif 000002
【特許請求の範囲】
【請求項１】
対向した２枚の側板と天板及び地板からなる枠体を壁面に配置し、枠体内を収納スペースとした壁面収納装置において、天板の収納スペース側に開口を設け、その開口内の上方に照明ユニットを収めたことを特徴とする壁面収納装置。
【請求項２】
照明ユニットを収納スペース側から挿入することで、天板の開口内の上方に収めたことを特徴とする壁面収納装置。
【請求項３】
壁面に設けられた開口内に枠体を配置し、天板にその厚さ方向に貫通した貫通孔を形成することで収納スペース側に開口を設け、照明ユニットを壁裏側に納めたことを特徴とする請求項１又は２記載の壁面収納装置。
【請求項４】
照明ユニットの光源がＬＥＤであることを特徴とする請求項１〜３のいずれか１つに記載の壁面収納装置。
【発明の詳細な説明】
【技術分野】
【０００１】
本願発明は、壁面に設けられる壁面収納装置である。
【背景技術】
【０００２】
従来、壁面に設けられた壁面収納装置に照明ユニットを設ける場合、特開２００２−１２５７７８号公報に示すように、化粧版に照明ユニットを取り付け、これを壁面収納装置の上面に設けることが一般的であった。このような照明ユニットの取付構造であると、照明ユニットを設けると収納スペースが狭くなってしまうだけではなく、特に側板、天板及び底板で枠組みした枠体の上面に照明ユニットを設けると目立ってしまい、意匠的に劣るものであった。
【特許文献１】特開２００２−１２５７７８号公報
【発明の開示】
【発明が解決しようとする課題】
【０００３】
本願発明は、上記背景技術に鑑みて発明されたものであり、その課題は、収納スペースを十分確保しながら、照明ユニットが目立たない壁面収納装置を提供することである。
【課題を解決するための手段】
【０００４】
上記課題を解決するために、本願発明の請求項１記載の壁面収納装置においては、対向した２枚の側板と天板及び地板からなる枠体を壁面に配置し、枠体内を収納スペースとした壁面収納装置において、天板の収納スペース側に開口を設け、その開口内の上方に照明ユニットを収めたことを特徴とするものである。
又、請求項２記載の壁面収納装置においては、照明ユニットを収納スペース側から挿入することで、天板の開口内の上方に収めたことを特徴とするものである。
【０００５】
又、請求項３記載の壁面収納装置においては、壁面に設けられた開口内に枠体を配置し、天板にその厚さ方向に貫通した貫通孔を形成することで収納スペース側に開口を設け、照明ユニットを壁裏側に納めたことを特徴とするものである。
【０００６】
又、請求項４記載の壁面収納装置においては、照明ユニットの光源がＬＥＤであることを特徴とするものである。
【発明の効果】
【０００７】
本願発明の請求項１に係る壁面収納装置によると、天板の収納スペース側に開口を設け、その開口内の上方に照明ユニットを挿入しているため、照明を設けても収納スペースが余り減少せず、照明ユニットが外部から見えにくくなるため、意匠的にも優れたものとなる。
又、請求項２に係る壁面収納装置によると、照明ユニットを収納スペース側から挿入しているため、照明ユニットを収納スペース側から出し入れでき、メンテナンス性に優れている。
又、請求項３に係る壁面収納装置によると、壁面の開口内に枠体を配置し、天板に貫通孔を形成することで収納スペース側に開口を設け、その開口内の上方に照明ユニットを収めているため、照明ユニットの収納部分が広く確保でき、収納スペースが更に広くなると共に、その照明ユニットの収納部分が壁裏に隠れるため、見栄えも良くなる。
又、請求項４に係る壁面収納装置によると、照明ユニットの光源がＬＥＤであるため、照明ユニット自体の容量が小さくなり、収納スペースが更に広くなると共に、蛍光灯などの一般的な照明に比べて長寿命であるのでメンテナンスの手間もかからない。
【発明を実施するための最良の形態】
【０００８】
図１〜５は、本願の請求項１〜３の全てに対応した実施形態である壁面収納装置を示している。この実施形態の壁面収納装置は、図１及び図２に示すように、対向した２枚の側板１と天板２及び地板３からなる枠体４を壁面５に配置し、枠体４内を収納スペースＳとした壁面収納装置において、天板２の収納スペースＳ側に開口６を設け、その開口６内の上方に照明ユニット７を収めている。
又、照明ユニット７を収納スペースＳ側から挿入することで、天板２の開口６内の上方に収めている。
又、壁面５に設けられた開口８内に枠体４を配置し、天板２にその厚さ方向に貫通した貫通孔９を形成することで収納スペースＳ側に開口６を設け、照明ユニット７を壁面側に収めている。
【０００９】
又、照明ユニット７の光源１０がＬＥＤである。
以下、この実施形態の壁面収納装置を、より具体的詳細に説明する。この実施形態の壁面収納装置は、図１及び図２に示すように、壁面５に設け、収納スペースＳもしくは飾り棚として使用するものである。この壁面収納装置は、木製で、矩形板状の天板２、地板３及び２枚の側板１を枠組みしてなる枠体４に、その枠体４の後ろ側開口を閉塞する背面板１１が設けられている。又、この枠体４の天板２の略中央には、図２に示すように、略四角形の貫通孔９が設けられている。この枠体４の前側開口は、扉１２が設けられており、扉１２及び側板１の片側、この場合右側には蝶番１３が設けられており、開閉自在となっている。又、この扉１２は框組みの金属製フレーム１４にガラス板、アクリル樹脂を代表とする透明樹脂板などの薄板１５が挟持されている。この場合、この枠体４は、図１（ｂ）に示す如く、壁面５に設けられた開口８内に設けられ、略その全体が壁裏に挿入されているが、枠体４の前方はわずかに壁面５よりも突出しており、扉１２の戸当たり部１６を形成している。又、この扉１２の開閉側、この場合左側は、枠体４の外周よりも多少突出しており、扉１２の手掛け部１７となっている。なお、本願発明の壁面収納装置はこれに限定されるものではなく、枠体４の全体が壁面５の前方に設けられていても、枠体４の一部、例えばその半分が壁裏に挿入されていても良い。
この枠体４の天板２側には、照明ユニット７が設けられている。この照明ユニット７は、図３に示すように、矩形板状の化粧板１８と光源１０を有するライト部１９及び直流電源装置２０を備えている。取付板の略中央には断面略円形のライト取付孔２１が貫通して設けられており、このライト取付孔２１には、略円柱状で下方を照らすライト部１９が嵌合されている。この場合、このライト部１９の光源１０がＬＥＤとなっている。又、ライト部１９の底面と化粧板１８の底面とが略面一となるようになっている。そして、このライト部１９は、配線２２により直流電源装置２０を介して電源に接続されているが、ライト部１９はスイッチ回路を介して電源に接続しておくことが望ましく、例えば、電源をオン／オフするスイッチを壁面５に設け、そのスイッチを介してライト部１９を電源に接続することで、壁面収納装置の外部からライト部１９のスイッチングを行うことができる。なお、直流電源装置２０は、ビス２３により化粧板１８に取り付けられている。
この照明ユニット７は、天板２に取り付けられるが、この場合、化粧板１８の中央部の両端に取付孔２４が設けられており、この取付孔２４からビス２３を螺合することで、固定されている。又、このビス２３の頭は、化粧カバー２５で化粧されている。このとき、照明ユニット７の化粧板１８の上方には、ライト部１９の一部、直流電源装置２０や配線２２などが突出しているが、この突出した部分は天板２の貫通孔９内及びその上方に挿入されることで収められている。従ってこの場合、図１（ｂ）に示すように、照明ユニット７は、壁面収納装置の扉１２を閉めたときのフレーム１４の上方の横框の下端よりも上方に収まっており、扉１２の閉塞時には、照明ユニット７はフレーム１４に隠れるため外部からは見えず、扉１２のフレーム１４のみが見えるようになっている。
なお、この実施形態においては天板２に貫通孔９を設けることで、照明ユニット７の化粧板１８の上方に突出した部分を挿入しているが、例えば、天板２の収納スペースＳ側に開口６した凹部を設け、この凹部内に照明ユニット７の上方に突出した部分を挿入してもよい。
又、天板２の上方には、貫通孔９を覆うように、下方に開口した箱型の配線カバー２６が設けられている。この配線カバー２６の開口縁にはフランジ２７が設けられており、このフランジ２７と天板２とをビス止めすることで、配線カバー２６が固定されている。又、この配線カバー２６の上面の略中央には配線孔２８が設けられており、電源からの電源線２９は、この配線孔２８を通して配線カバー２６内に導入されるようになっている。従って、配線カバー２６により照明ユニット７が外部から保護され、特に直流電源装置２０や電源線２９の接続部などに埃や塵などが堆積することを防止している。
続いて、この実施形態の壁面収納装置の施工方法について説明する。
まず初めに、図４に示すように、ダボ３０及び接着剤を用いて片方の側板１に天板２及び地板３を接合し、略コ字型の枠を形成する。この場合、側板１、天板２及び地板３の内周面の後方にはそれぞれ、長さ方向に沿って凹溝３１が設けられており、背面板１１をこの凹溝３１に沿って挿入する。そして、ダボ３０及び接着剤を用いて、略コ字型の枠の開口側に側板１を取り付ける。なお、天板２の上方には配線カバー２６を取り付けるが、予め天板２に配線カバー２６を取り付けてから枠体４を組み上げても、枠体４を組み上げた後に配線カバー２６を取り付けてもよい。
次に、図５に示すように、組み上げた枠体４を壁面５に取り付ける。この枠体４を取り付けるために、裏壁３２の手前に、基礎土台３３から上方２本の間柱３４を立設し、この２本の間柱３４間に２本の横桟３５を設け、枠体取付スペースＳ’を形成している。この枠体取付スペースＳ’に枠体４を取り付けるが、下側の横桟３５に枠体４の地板３を当接し、枠体４をはめ込む。このとき、裏壁３２から電源線２９を引き出し、配線カバー２６の配線孔２８を通じて、枠体４内に電源線２９が引き込みながら枠体４をはめ込むと良い。そして、側板１の収納スペースＳ側から間柱３４に対してビス止めを行い、枠体４を枠体取付スペースＳ’に固定する。なお、このビス２３の頭は、化粧カバー２５で化粧してもよい。又、天板２と上の横桟３５との間には、配線カバー２６の取付スペース及び電源線２９の配線用スペースが確保されており、この場合、枠体取付スペースＳ’内の配線カバー２６よりも上方の裏壁３２から電源線２９が引き込まれている。従って、電源線２９が枠体４と裏壁３２との間に挟まれることがない。又、枠体４の前端面３６は、間柱３４の前端面３７よりも前方に突出しており、この突出量は、壁面５を形成するための壁ボード及び枠体４に扉１２を設けたときの戸当たりを考慮して、壁ボードの厚さに戸当たり分の厚みを加えたものであり、例えば、壁ボードの厚さ＋１０〜１５ｍｍ程度としている。
その後、図２及び図３で示した照明ユニット７を予め組み立てておき、天板２に取り付ける。このとき、枠体４内に引き込んだ電源線２９を直流電源装置２０に接続し、直流電源装置２０、ライト部１９の上端やそれらを接続する配線２２など、照明ユニット７の化粧板１８の上方に突出した部分を、天板２の開口６内からその上方に挿入することで収め、化粧板１８と天板２をと当接させる。その後、化粧板１８の両端に設けられた取付孔２４から天板２に対してネジ止めし、固定する。なお、このネジの頭も化粧カバー２５で化粧しても良い。
そして、図６に示すように、枠体４内に仕切り板３９を固定するための仕切り板固定部４０を設ける。この仕切り板固定部４０の固定方法としては、ビス止めで行っても、枠体４内にダボ３０穴を設けると共に仕切り板固定部４０に突起を設け、双方を嵌合することで固定してもよく、特に限定されるものではない。この場合、仕切り板３９はガラスやアクリル樹脂などの透明もしくは半透明な素材で形成することが望ましく、透明もしくは半透明な素材で形成することで、ライト部１９から放たれる光が仕切り板３９を透過し、枠体４内全体がライトアップされ、意匠的に優れたものとなる。最後に、図１に示す如く、枠体４の側板１に蝶番１３を介して扉１２を取り付ける。この場合、この扉１２の開閉側、すなわち蝶番１３と逆側の内側には弾性部材４１が設けられており、扉１２の戸当たりの衝撃を吸収するようになっている。なお、間柱３４の前方に壁ボードを取り付け、壁面５を形成する順序は、枠体４を間柱３４に固定した後であれば、特に限定されるものではなく、施工のしやすいように適宜選択すれば良い。
従って、この実施形態の壁面収納装置においては、天板２の収納スペースＳ側に開口６を設け、その開口６内の上方に照明ユニット７を収めているため、照明を設けても収納スペースＳが余り減少せず、照明ユニット７が外部から見えにくくなるため、意匠的にも優れたものとなる。
又、天板２に設けられた開口６内の上方に照明ユニット７を挿入することで収めているため、照明ユニット７が収納スペースＳ側から出し入れできるため、メンテナンスがしやすい。
又、壁面５の開口８内に枠体４を配置し、天板２に貫通孔９を形成することで収納スペースＳ側に開口６を設け、その開口６内の上方に照明ユニット７を挿入しているため、照明ユニット７が収納できるスペースが更に広くなり、直流電源装置２０などの比較的大きな部品も開口６内の上方に収納され、その照明ユニット７の挿入部分が壁裏に隠れるため、見栄えも良くなる。
【００１０】
又、照明ユニット７が枠体４とは別体であるため、光源１０の寿命などによりライト部１９を取り替えるなどの作業がしやすく、メンテナンス性に優れている。それに加え、枠体４を取り付ける作業、すなわち大工作業と、照明ユニット７の電気配線などの作業、すなわち電気作業を分離することができるため、それぞれの作業者にとって施工しやすい壁面収納装置となる。
【００１１】
又、壁面収納装置の扉１２を閉塞したとき、照明ユニット７を天板２の開口６内の上方に挿入して収めることで、照明ユニット７の下端、この場合化粧板１８及びライト部１９の下端が、扉１２のフレーム１４の天板２側、すなわち上方の横框の下端よりも上方に収まっているので、外観からは照明ユニット７が取り付けられていることがかかりにくく、すっきりした印象を与え、意匠的に優れたものとなる。
【００１２】
又、枠体４の前端面３６を壁面５よりも室内側にわずかに突出させ、扉１２の開閉側、すなわち蝶番１３とは反対側を枠体４の外周よりも外側にわずかに突出させているため、この扉１２に別途取っ手を設けることなく、扉１２の開閉側が手掛け部となり、壁面収納装置の意匠性を保ったまま、扉１２の開閉が行える。
又、照明ユニット７の光源１０がＬＥＤであるため、照明ユニット７自体の容量が小さくなり、収納スペースＳが更に広くなると共に、蛍光灯などの一般的な照明に比べて長寿命であるのでメンテナンスの手間もかからない。又、ＬＥＤから放たれる光は等方性が高いため、収納物が効果的にライトアップされる。
なお、本願発明は上記実施形態に限定されるものではなく、例えば、照明ユニットを開口を設けた天板の上方に設け、収納スペース側から天板の開口を介して照明ユニットもしくはその一部を出し入れできるようにしても良い。
【図面の簡単な説明】
【００１３】
【図１】本願発明の一実施形態である壁面収納装置を示す（ａ）は斜視図、（ｂ）は正面図（ｃ）は横断面図。
【図２】同壁面収納装置を示す要部分解斜視図。
【図３】同壁面収納装置の照明ユニットを示す分解斜視図。
【図４】同壁面収納装置の施工工程を示す斜視図。
【図５】同壁面収納装置の施工工程を示す斜視図。
【図６】同壁面収納装置を示す正面図。
【符号の説明】
【００１４】
１    側板
２    天板
３    地板
４    枠体
５    壁面
６    開口（天板）
７    照明ユニット
８    開口（壁面）
９    貫通孔
１０  光源
１１  背面板
１２  扉
１３  蝶番
１４  フレーム
１５  薄板
１６  戸当たり部
１７  手掛け部
１８  化粧板
１９  ライト部
２０  直流電源装置
２１  ライト取付孔
２２  配線
２３  ビス
２４  取付孔
２５  化粧カバー
２６  配線カバー
２７  フランジ
２８  配線孔
２９  電源線
３０  ダボ
３１  凹溝
３２  裏壁
３３  基礎土台
３４  間柱
３５  横桟
３６  前端面（枠体）
３７  前端面（間柱）
３９  仕切り板
４０  仕切り板固定部
４１  弾性部材
Ｓ    収納スペース
Ｓ’  枠体取付スペース
【図１】
2007100476.tif 000003
【図２】
2007100476.tif 000004
【図３】
2007100476.tif 000005
【図４】
2007100476.tif 000006
【図５】
2007100476.tif 000007
【図６】
2007100476.tif 000008